(57)【要約】【解決する課題】衣服を洗濯する際に、新たな洗濯ネットを必要とせず、さらに、洗濯ネットの保管場所も必要としない洗濯ネットを取着した衣服を提供する。【課題を解決する手段】洗濯ネット１０を取着した衣服１００を前面から見ると、裏地としての洗濯ネット１０が僅かに見える程度であり、着用している場合は、外からは全く見えないものである。洗濯する際には、衣服を裏返すだけで、洗濯ネットに納めることができる衣服とした。【選択図】図１
2005082927.tif 000002
【特許請求の範囲】
【請求項１】
衣服の内側に洗濯ネットを取着したことを特徴とする洗濯ネット付き衣服。
【請求項２】
洗濯ネットが衣服の内側の背又は臀部の当接面に取着されていることを特徴とする請求項１に記載の洗濯ネット付き衣服。
【請求項３】
上着に取着された洗濯ネットの開口部が内側の背面下側にあり、ズボンに取着された洗濯ネットの開口部が内側の背面上側にあることを特徴とする請求項１又は請求項２のいずれかに記載の洗濯ネット付き衣服。
【請求項４】
洗濯ネットが衣服の内側の当接面の３方が固定され、開口部の一方が面ファスナーで固定されていることを特徴とする請求項１から請求項３のいずれかに記載の洗濯ネット付き衣服。
【発明の詳細な説明】
【技術分野】
【０００１】
本発明は衣服の内側の背が当接する面、又はズボンの内側の腰が当接する面に洗濯ネットが取着されている衣服に関する。
【背景技術】
【０００２】
洗濯機の大型化、自動化に伴って、布団や毛布等の大型の洗濯物も自宅で洗濯できるようになってきた。衣服の大きなもの、特にスキーウェアのような防寒衣服は大きく嵩張るものであり、自宅で洗濯するのも大変である。また、そのような大きな衣服を入れる洗濯用ネットを常時備えておくことも、場所を取り不経済なものである。洗濯用ネットは、丸形状のもの、袋形状のもの等が存在するが、特殊な形状として特許文献１，２が公開されている。特許文献１の請求項に「挟着具によって開閉自在の状態の洗濯物投入口を有する公知の洗濯用ネットにおいて、メイン袋部の任意の箇所に、任意の数の補足的袋部をいけいけの状態に一体化させたことを特徴とする洗濯用ネット袋である。」が開示されている。本考案は、公知の洗濯用ネットに、補足的袋部としてさらに衣服の袖に当たる部分に、洗濯ネットを取り付けたものである。特許文献２の請求項には「袖付き衣服の胴部を収納する胴部収納部と、袖付き衣服の袖部を収納する袖部収納部とを有する袋状ネットであって、前記袖部収納部を前記胴部収納部に向けて折り畳んだ状態で袖部収納部と胴部収納部とを連結する連結具を備えたことを特徴とする洗濯ネット。」が開示されている。特許文献２は、特許文献１の袖部が洗濯時にブラブラするので、袖部を折り畳んで胴部に連結させた構造ととしたものである。
【０００３】
上記のように大きな衣服を洗濯する場合に、袖部分を入れるネットを付けたり、袖部分がブラブラしないように固定する必要があった。又、このようなネットは大きな衣服を洗濯しないときは、そのための保管場所が必要なことなど不経済なものであった。そこで、大きな衣服で洗濯ネットを必要としない衣服の出現が望まれていた。
【特許文献１】実開平０３−９２４８１号公報
【特許文献２】特開平０７−１２４３７７号公報
【発明の開示】
【発明が解決しようとする課題】
【０００４】
本発明は、上記課題を解決するために、衣服を洗濯する際に、新たな洗濯ネットを必要とせず、さらに、洗濯ネットの保管場所も必要としない洗濯ネットを取着した衣服を提供するものである。
【課題を解決するための手段】
【０００５】
本発明者は、上記課題を解決するために鋭意研究を重ねた結果、洗濯ネットを衣服の内側に取着することによって、洗濯する際に、衣服を裏返すだけで、洗濯ネットに納めることができる衣服の作成に成功した。
【０００６】
本発明の課題を解決する手段は、衣服の内側に洗濯ネットを取着したことを特徴とする洗濯ネット付き衣服である。洗濯ネットを裏地として使用することにより、衣服としても暖かく、洗濯をする時は、衣服を裏返してネットの中に入れるだけでよく、ネットの保管場所も必要としない。
【０００７】
本発明の課題を解決する別の手段は、洗濯ネットが衣服の内側の背又は臀部の当接面に取着されていることを特徴とする請求項１に記載の洗濯ネット付き衣服である。洗濯ネットを衣服の内側の背又は臀部の当接する面に取着することによって、保温性が上昇し、背の部分が暖かくなる。
【０００８】
本発明の課題を解決する別の手段は、上着に取着された洗濯ネットの開口部が内側の背面下側にあり、ズボンに取着された洗濯ネットの開口部が内側の背面上側にあることを特徴とする請求項１又は請求項２のいずれかに記載の洗濯ネット付き衣服である。洗濯ネットの取り出し口を衣服の下部に設けることによって、衣服の着用に際してネットの取り出し口が邪魔にならない。
【０００９】
本発明の課題を解決する別の手段は、洗濯ネットが衣服の内側の背又は臀部に当接する面の３方が固定され、開口部の一方が面ファスナーで固定されていることを特徴とする請求項１から請求項３のいずれかに記載の洗濯ネット付き衣服である。衣服の背の当接面に取着する洗濯ネットを背の場合は上側、又は臀部の場合は下側と左右の３方を固定し、背の下側又は臀部の上側の開口部の一方を面ファスナーで固定することによって、洗濯ネットが背や臀部でブラブラせず、衣服を着用していても違和感がなく着用できる。
【発明の効果】
【００１０】
衣服の内側の背又は臀部の当接面に洗濯ネットを裏地として取着することにより、衣服としても防寒作用を高め、洗濯をする時は、衣服を裏返してネットの中に入れるだけでよく、ネットの保管場所も必要としない。また、背又は臀部の当接面に取着する洗濯ネットの取り出し口を上着の場合は衣服の下部に、ズボンの場合は上部に設けることによって、衣服の着用に際してネットの取り出し口が邪魔にならない。さらに、衣服の内側に取着する洗濯ネットを上又は下側と左右の３方を固定し、開口部の一方は面ファスナーで固定することによって、洗濯ネットが背又は臀部でブラブラせず、衣服を着用していても違和感がなく着用できる。
【発明を実施するための最良の形態】
【００１１】
本発明の洗濯ネットを取着した衣服の実施形態を図面を用いて以下に説明するが、本発明は以下の実施例に限定されるものではない。
【００１２】
本発明の洗濯ネットを取着するための衣服は特に限定されず、例えば、スキーウェア、ウインドブレーカー、ブルゾン等の衣服であって、洗濯が可能な衣服であればよく、衣服の種類や上下に限定されるものではない。また、洗濯ネットとして衣服の裏に取着する洗濯ネットの材質は、衣服の裏地にもなるため肌触りのよい、快適性のある布地が望ましい。例えば、ポリエステルのように強度と摩耗に強く、着心地のよい合成繊維が例示できる。さらに、布地は水が出入りするように多数の孔が穿設されているか、細かい網目状のものが望ましい。
【００１３】
図１は洗濯ネットを取着した衣服１００を例示する。洗濯ネット１０を取着した衣服１００を前面から見ると、裏地としての洗濯ネット１０が僅かに見える程度であり、着用している場合は、外からは全く見えないものである。洗濯ネット１０はネット状に形成された布地でも良いが、着用していても違和感の少ないように、軽くて丈夫な布地に、水通しを良くするために孔が穿設されている布地でもよい。衣服の内側の背に当接する面に取着するので、衣服の裏地の代わりともなり、また、保温性も高まることから、スキーウェア等寒冷地で着用する衣服には最適である。
【００１４】
図２は洗濯ネット付き衣服の内側の背の部分を示す。洗濯ネット１０は襟２の下１５部分と背に当接する部分の両側１６が縫製固定されている。図３に示すように、背に当接する部分の下側１７は開口されており、洗濯する際はこの開口部より衣服の出し入れを行う。また、ネットの片面と衣服の背の面に面ファスナー１９が貼着されており、面ファスナー１９を貼り合わせておくことによって、ネット１０が衣服の背に固定される。洗濯ネットの大きさは衣服によって異なるが、上は襟首の高さから下は衣服の裾からでない範囲まで、横幅は衣服の内側の背中が当接する面の大きさが望ましい。また、洗濯ネットの開口部にはチャックを取り付けて、衣服に取着された状態で洗濯ネットが開閉できて、しかもネット内に衣服を入れた状態でも開閉できるように、ネットの開閉を行うチャックの引き手１８は内側と外側の２箇所に取り付けられているものが望ましい。
【００１５】
図４は洗濯ネット付き衣服の内側をネットに沿って折り畳んだ状態を示す。ネットの中央の線１０ａ、１０ｂは衣服を入れたときにネットが膨らむために、中心線の両側にタックを設けたことによって、洗濯ネットに衣服を入れたときにもネットに余裕を持たせることができる。但し、タックが大きすぎると衣服の着用時に洗濯ネットが垂れ下がってくるので、あまり大きくなく２ｃｍ〜５ｃｍ位が望ましい。
【００１６】
図５は衣服の内側背面に取着された洗濯ネットに、衣服を収納した状態を示す。衣服を裏返して、洗濯ネットに沿って内側に折り畳んで、洗濯ネットを反転させると簡単に衣服を洗濯ネット内に収納することができる。
【００１７】
図６は衣服のズボンに洗濯ネットを取着した例を示す。ズボンの場合はズボンの後上端から、臀部の下にかけて取着することによって、ズボンの足の部分も全てが収まる大きさにする。開口部は上着とは異なり、ネットの開口部をズボンの上の方にくるように取着する。ズボンをネットに収納する場合は、ズボンを裏返して、ネットの大きさに折り畳んでネットを裏返すと簡単にネットに収納することができる。
【図面の簡単な説明】
【００１８】
【図１】洗濯ネット付き衣服 の正面図。
【図２】洗濯ネット付き衣服の内側の背面部分の平面図。
【図３】洗濯ネットの開口部を示す部分平面図。
【図４】衣服を折り畳んでネットに収容する前の平面図。
【図５】洗濯ネットに衣服を収納した状態を示す平面図。
【図６】洗濯ネットを衣服のズボン部分に取着した側面図。
【符号の説明】
【００１９】
１００：洗濯ネット付き衣服
１０：洗濯ネット
１１：前部分
１２：襟部分
１３：袖部分
１４：裏部分
１５：洗濯ネットの上部
１６：洗濯ネットの側面
１７：洗濯ネットの開口部
１８：ファスナーの引き手
１９：面ファスナー
２０：ズボン
２１：前側
２２：臀部側
【図１】
2005082927.tif 000003
【図２】
2005082927.tif 000004
【図３】
2005082927.tif 000005
【図４】
2005082927.tif 000006
【図５】
2005082927.tif 000007
【図６】
2005082927.tif 000008